(57)【特許請求の範囲】
【請求項１】
光ファイバーケーブル・ジャンクションボックスであって、
相互に組み合わせ可能な第１ハウジング(１１)および第２ハウジング(１２)から構成されるハウジング、
ハウジングの２つのエンドポートを封止するための一対のエンドシールブロック(２１、２２）、および
第１ハウジング(１１)が第２ハウジング(１２)と接合される際、光ファイバーケーブル・ジャンクションボックスの長手方向に延在する２つのエッジを封止するための一対のエッジシールバー(３１、３２）
を有して成り、
第１ゲル層が、射出成形によって一対のエンドシールブロック(２１、２２)の各々の周縁に形成され、
一対のエッジシールバー(３１、３２)が、
ゴムバー(３１１、３２１)、および
エンドシールブロック(２１、２２)の第１ゲル層と緊密に接合されるために、射出成形によってゴムバー(３１１、３２１)の少なくとも一部に形成される第２ゲル層(３１２、３２２)を各々有して成り、
第２ゲル層(３１２、３２２)が、エンドシールブロック(２１、２２)に対応するゴムバー(３１１、３２１)の各端部にある接合部にのみ形成されており、
ゴムバー(３１１、３２１)の接合部に形成される第２ゲル層(３１２、３２２)と接合されるように、少なくとも１つの突起リブ(３１１ａ、３２１ａ）がゴムバー(３１１、３２１)の接合部に形成されており、
突起リブ(３１１ａ、３２１ａ）が、リング形状のゴムバー(３１１、３２１)の接合部を囲んでおり、および
ゴムバー(３１１、３２１)の接合部が、ゴムバー(３１１、３２１)の他の部分よりも低い窪み部である、光ファイバーケーブル・ジャンクションボックス。
【請求項２】
ゴムバー(３１１、３２１)の接合部に形成される第２ゲル層(３１２、３２２)と接合されるように、少なくとも１つの貫通孔(３１１ｂ、３２１ｂ）がゴムバー(３１１、３２１)の接合部に形成されている、請求項１に記載の光ファイバーケーブル・ジャンクションボックス。
【請求項３】
縦溝が第１ハウジング（１１）および第２ハウジング(１２)の各リップに形成されており、第１ハウジング(１１)および第２ハウジング(１２)が一体的に閉じられる際、一対のエッジシールバー(３１、３２)が第１ハウジング（１１）および第２ハウジング(１２)の縦溝に各々嵌め込まれている、請求項１に記載の光ファイバーケーブル・ジャンクションボックス。
【請求項４】
リング溝が第１ハウジング（１１）および第２ハウジング（１２）の各端部に形成されており、
第１ハウジング(１１)および第２ハウジング(１２)が一体的に閉じられる際、一対のエンドシールブロック(２１、２２)が第１ハウジング（１１）および第２ハウジング(１２)のリング溝に各々嵌め込まれている、請求項１に記載の光ファイバーケーブル・ジャンクションボックス。
【請求項５】
第１ハウジング（１１）および第２ハウジング(１２)が相互に実質的に対称的であり、又、第１ハウジング（１１）および第２ハウジング(１２)を一体的にロックするために、ラッチが第１ハウジング（１１）および第２ハウジング(１２)に形成されている、請求項１に記載の光ファイバーケーブル・ジャンクションボックス。
【請求項６】
第１ゲル層および第２ゲル層が共に再使用可能なゲル材料から成る、請求項１に記載の光ファイバーケーブル・ジャンクションボックス。
【発明の詳細な説明】
【技術分野】
【０００１】
本出願は、中国知識産権局に２０１０年４月１６日に出願した中国特許出願第２０１０１０１５３０４８．８号の優先権の利益を主張しており、公開された内容が全て参照のため本明細書に組み入れられている。
【０００２】
本発明は、光ファイバーケーブル・ジャンクションボックスに関する。より具体的には、本発明は、高い水密性又は気密性を有する光ファイバー・ジャンクションボックスに関する。
【背景技術】
【０００３】
標準的な光ファイバーケーブル・ジャンクションボックスは、概してボックス全体を構成するために相互に封止可能な上側カバーおよび下側カバーから構成される。標準的な光ファイバーケーブル・ジャンクションボックスでは、ハウジングの２つのエンドポート（又は端部ポート；ｅｎｄ  ｐｏｒｔ）にゴムブロックを２つ設けて、ハウジングの２つのエンドポートを各々封止している。上側カバーおよび下側カバーが相互に組み合わせられる（又は接合される；ｍａｔｅｄ  ｗｉｔｈ）際、光ファイバーケーブル・ジャンクションボックスの長手方向に延在する２つのエンドポートに２つのゴムバー（又は棒状のゴム；ｒｕｂｂｅｒ  ｂａｒ）を各々設けることで、このボックスを封止する。上側カバーおよび下側カバーの半分が一体的に閉じられている際、２つのエンドポートにある２つのゴムブロックおよび２つの係合端にある２つのゴムバーは、上側カバーおよび下側カバーにより圧縮され、２つのゴムバーの端部（又はエンド；ｅｎｄ）は周縁にある２つのゴムブロックに圧縮される。これにより、標準的な光ファイバーケーブル・ジャンクションボックスは水密性又は気密性を有する。しかしながら、ゴムブロックおよびゴムバーは相対的に硬く、弾性が劣るため、標準的な光ファイバーケーブル・ジャンクションボックスのゴムブロックとゴムバーとの間の封止性能は望ましくない。その上、標準的な光ファイバーケーブル・ジャンクションボックスのゴムブロックおよびゴムバーを再使用することができない。標準的な光ファイバーケーブル・ジャンクションボックスの上記の欠点を考慮すれば、上記の欠点の少なくとも１つの態様を克服し又は軽減することができる新規の光ファイバーケーブル・ジャンクションボックスを開発する必要がある。
【発明の概要】
【０００４】
本発明は、上記の欠点の少なくとも１つの態様を克服し、又は軽減するものである。
【０００５】
すなわち、水密性および気密性を効率的に改善可能な光ファイバーケーブル・ジャンクションボックスを供することが、本発明の目的である。
【０００６】
すなわち、再使用可能なエンドシールブロック（又は端部シールブロック；ｅｎｄ  ｓｅａｌ  ｂｌｏｃｋ）および再使用可能なエッジシールバーを有する光ファイバーケーブル・ジャンクションボックスを供することが、本発明の別の目的である。  
【０００７】
本発明の態様では、光ファイバーケーブル・ジャンクションボックスが供され、この光ファイバーケーブル・ジャンクションボックスは、相互に接合された第１ハウジングおよび第２ハウジングから構成されるハウジング、ハウジングの２つのエンドポートを封止するための一対のエンドシールブロック、および第１ハウジングが第２ハウジングと接合される際に、光ファイバーケーブル・ジャンクションボックスの長手方向に延在する２つのエッジを封止するための一対のエッジシールバーを有して成る。第１ゲル層は、一対のエンドシールブロックの各々の周縁部に少なくとも射出成形により形成される。一対のエッジシールバーは、ゴムバーおよび第２ゲル層を各々有して成る。第２ゲル層はゴムバーの少なくとも一部分に射出成形により形成されて、エンドシールブロックの第１ゲル層と緊密に接合される。
【０００８】
本発明の典型的な態様では、第２ゲル層はエンドシールブロックと接合するゴムバーの各端部にある接合部上にのみ形成される。
【０００９】
本発明の別の典型的な態様では、第２ゲル層で覆われるために少なくとも１つの突起リブがゴムバーの接合部に形成される。
【００１０】
本発明の別の典型的な態様では、突起リブがリング形状のゴムバーの接合部を囲んでいる。
【００１１】
本発明の別の典型的な態様では、ゴムバーの接合部上に覆われる第２ゲル層と接合するための少なくとも１つの貫通孔がゴムバーの接合部に形成される。
【００１２】
本発明の別の典型的な態様では、ゴムバーの接合部は、ゴムバーの他の部分よりも低い窪み部である。
【００１３】
本発明の別の典型的な態様では、第１ハウジングおよび第２ハウジングの各接合エッジに縦溝が形成される。第１ハウジングおよび第２ハウジングが一体的に閉じられる際、一対のエッジシールバーが第１ハウジングおよび第２ハウジングの縦溝に各々嵌め込まれている。
【００１４】
本発明の別の典型的な態様では、リングソケットが第１ハウジングおよび第２ハウジングの各端部に形成されている。第１ハウジングおよび第２ハウジングが一体的に閉じられる際、一対のエンドシールブロックが第１ハウジングおよび第２ハウジングのリングソケットに各々嵌め込まれている。
【００１５】
本発明の別の典型的な態様では、第１ハウジングおよび第２ハウジングは相互に実質的に対称的であり、第１ハウジングおよび第２ハウジングを一体的にロックするために、ラッチが第１ハウジングおよび第２ハウジングに形成される。
【００１６】
本発明の別の典型的な態様では、第１ゲル層および第２ゲル層共に再使用可能なゲル材料から成る。
【００１７】
本発明の様々な典型的な態様では、一対のエンドシールブロックの各々の周縁には第１ゲル層が形成されている。エッジシールバーの各々は、第２ゲル層で形成されておりエンドシールブロックの第１ゲル層と接合されている。
【００１８】
第１ゲル層および第２ゲル層共に大変柔らかく、良好な弾性を有しているので、第１ハウジングおよび第２ハウジングが一体的に閉じられる際、本発明のエンドシールブロックとエッジシールバーとの間の封止性能は著しく改善される。
【図面の簡単な説明】
【００１９】
【図１】図１は、本発明の典型的な態様での光ファイバーケーブル・ジャンクションボックスの模式図である。
【図２】図２は、図１に示される光ファイバーケーブル・ジャンクションボックスの部分拡大図である。
【図３】図３は、本発明の典型的な態様のエッジシールバーを示す。
【図４】図４は、図３に示されるエッジシールバーの部分拡大図である。
【発明を実施するための形態】
【００２０】
添付図面を参照して本発明の典型的な態様を詳細に説明する。同種の引用符号は同種のエレメントを指す。しかしながら、本発明は多くの異なる形態で具体化されてよいが、本明細書に記載される態様に限定されるものと解釈されるべきではない。むしろ、これらの態様が供されることで、本発明は徹底され完全となり、本発明の概念が当業者に緊密に伝わるであろう。
【００２１】
図１は、本発明の典型的な態様の光ファイバーケーブル・ジャンクションボックスの模式図である。図２は、図１に示される光ファイバーケーブル・ジャンクションボックスの部分拡大図である。
【００２２】
図１および図２に示されるように、本発明のある典型的な態様では、光ファイバーケーブル・ジャンクションボックスは、主として第１ハウジング１１および第２ハウジング１２、一対のエンドシールブロック２１、２２並びに一対のエッジシールバー３１、３２を有して成る。
【００２３】
図１および図２を参照すれば、全体のハウジングを形成するために一体的に第１ハウジング１１および第２ハウジング１２を閉じることができる。本発明のある典型的な態様では、第１ハウジング１１および第２ハウジング１２は相互に実質的に対称的であり、ラッチが第１ハウジング１１および第２ハウジング１２に形成され、一体的にそれらがロックされている。しかし、本発明はこれに限定されることなく、第１ハウジングおよび第２ハウジングを一体的に接合して、チャンバーを規定する全体のハウジングを形成することができるなら第１ハウジングおよび第２ハウジングは相互に対称的でなくてよい。
【００２４】
図１および図２に示すように、本発明のある典型的な態様では、一対のエンドシールブロック２１、２２が、ハウジングの２つのエンドポートを封止するためにハウジングの２つのエンドポートに各々設けられている。
【００２５】
図１および図２に示すように、本発明のある典型的な態様では、第１ハウジング１１を第２ハウジング１２と接合する際、第１ハウジング１１と第２ハウジング１２との間の２つのエッジを封止するため、一対のエッジシールバー３１、３２が光ファイバーケーブル・ジャンクションボックスの長手方向に延在する２つのエッジに設けられている。この構造により、第１ハウジング１１が第２ハウジング１２と緊密に接合される際、エンドシールブロック２１、２２およびエッジシールバー３１、３２をハウジングにより圧縮して相互に接触させることで、光ファイバーケーブル・ジャンクションボックスの全体のハウジングが更に確実に封止される。
【００２６】
図示していないが、本発明のある典型的な態様では、エンドシールブロック２１、２２の各々は、ゴムブロックと、例えば、射出成形によりゴムブロックの周縁に形成される第１ゲル層とを主として有して成る。
【００２７】
図３は本発明の典型的な態様のエッジシールバーを示し、図４は図３に示されるエッジシールバーの部分拡大図である。
【００２８】
図３および図４に示すように、本発明のある典型的な態様では、エッジシールバー３１、３２の各々はゴムバー３１１、３２１、およびエンドシールブロック２１、２２の第１ゲル層と緊密に接合するためゴムバー３１１、３２１の少なくとも一部に形成される第２ゲル層３１２、３２２を主として有して成る。例えば、第２ゲル層３１２、３２２は、ゴムバー３１１、３２１に射出成形により形成される。
【００２９】
図３〜４を参照すると、本発明のある典型的な態様では、第２ゲル層３１２、３２２は、エンドシールブロック２１、２２に対応するゴムバー３１１、３２１の各端部にある接合部にのみ形成される。しかし、本発明はこれに限定されず、第２ゲル層３１２、３２２はゴムバー３１１、３２１全体に形成されてよい。
【００３０】
図１〜４に示されるように、本発明では、第１ハウジング１１および第２ハウジング１２が一体的に閉じられる際、２つのエンドポートにある一対のエンドシールブロック２１、２２および２つのエッジにある一対のエッジシールバー３１、３２は、第１ハウジング１１および第２ハウジング１２により圧縮され、一対のエッジシールバー３１、３２は周縁にある一対のエンドシールブロック２１、２２で圧縮される。これにより、光ファイバーケーブル・ジャンクションボックスの水密性又は気密性が得られる。
【００３１】
その上、本発明では、一対のエンドシールブロック２１、２２の各周縁には第１ゲル層が形成され、エッジシールバー３１、３２の各周縁にはエンドシールブロック２１、２２の第１ゲル層と接合される第２ゲル層が形成される。本発明では、第１ゲル層および第２ゲル層共に大変柔らかく、良好な弾性を有しているので、第１ハウジングおよび第２ハウジングが一体的に閉じられる際、エンドシールブロック２１、２２の第１ゲル層は、エッジシールバー３１、３２の第２ゲル層と緊密に接合することが可能である。従って、本発明では、エンドシールブロック２１、３１とエッジシールバー３１、３２との間の封止性能を著しく改善することが可能である。
【００３２】
本発明のある典型的な態様では、第１ゲル層および第２ゲル層は共に再使用可能なゲル材料から成る。これにより、環境を保護し、コストと材料を節約することができる。
【００３３】
図４に示すように、本発明のある典型的な態様では、少なくとも１つの突起リブ３１１ａ、３２１ａが、ゴムバー３１１、３２１の接合部に形成される第２ゲル層３１２、３２２と接合されるようにゴムバー３１１、３２１の接合部に形成される。これにより、第２ゲル層３１２、３２２とゴムバー３１１、３２１との間の接合強度を増やして、第２ゲル層３１２、３２２とゴムバー３１１、３２１との相対移動を防ぐことができる。
【００３４】
図４に示される典型的な態様では、３つの突起リブ３１１ａ、３２１ａがゴムバー３１１、３２１の接合部に形成される。しかしながら、本発明はこれに限定されることなく、１つ、２つ、４つ又はそれ以上の突起リブ３１１ａ、３２１ａがゴムバー３１１、３２１の接合部に形成されてよいことにご留意頂きたい。
【００３５】
図４を参照して、本発明のある典型的な態様では、突起リブ３１１ａ、３２１ａがリング形状のゴムバー３１１、３２１の接合部を囲んでいる。しかしながら、本発明はこれに限定されず、突起リブ３１１ａ、３２１ａは、ゴムバー３１１、３２１の周縁の少なくとも一部から外側に突き出したウェブ状の突起リブであってよいことにご留意頂きたい。
【００３６】
図４に示すように、本発明のある典型的な態様では、少なくとも１つの貫通孔３１１ｂ、３２１ｂが、ゴムバー３１１、３２１の接合部に形成される第２ゲル層３１２、３２２と接合されるようにゴムバー３１１、３２１の接合部に形成される。これにより、第２ゲル層３１２、３２２とゴムバー３１１、３２１との間の接合強度を更に増やして、第２ゲル層３１２、３２２とゴムバー３１１、３２１との相対移動を防ぐことができる。
【００３７】
図４に示される典型的な態様では、２つの貫通孔３１１ｂ、３２１ｂがゴムバーの３１１、３２１の接合部に形成される。しかしながら、本発明はこれに限定されず、ゴムバー３１１、３２１の接合部に１つ、３つ、４つ又はそれ以上の貫通孔３１１ｂ、３２１ｂが形成されてよい。
【００３８】
図４に示されるように、本発明のある典型的な態様では、第２ゲル層３１２、３２２が形成されるゴムバー３１１、３２１の接合部は、ゴムバー３１１、３２１の他の部分よりも低い窪み部である。これにより、第２ゲル層３１２、３２２とゴムバー３１１、３２１との間の接合強度を更に増やして、第２ゲル層３１２、３２２とゴムバー３１１、３２１との相対移動を防ぐことができる。図示していないが、本発明のある典型的な態様では、第１ハウジング１１および第２ハウジング１２の各リップに縦溝が形成される。第１ハウジング１１および第２ハウジング１２が一体的に閉じられる際、一対のエッジシールバー３１、３２が第１ハウジング１１および第２ハウジング１２の縦溝に各々嵌め込まれる。これにより、第１ハウジング１１と第２ハウジング１２との間の気密性又は水密性を更に改善することができる。
【００３９】
図示していないが、本発明のある典型的な態様では、リング溝が第１ハウジング１１および第２ハウジング１２の各端部に形成される。第１ハウジング１１および第２ハウジング１２が一体的に閉じられる際、一対のエンドシールブロック２１、２２が第１ハウジング１１および第２ハウジング１２のリング溝に各々嵌め込まれる。これにより、第１ハウジング１１と第２ハウジング１２との間の気密性又は水密性を更に改善することができる。
【００４０】
いくつかの典型的な態様を示し、説明したが、本発明の範囲がクレームおよび同等物に規定される本発明の原理と精神から逸脱することなく、様々な変更又は修正がこれらの態様で行われてよいことは当業者に理解されよう。
【図１】
0005872542.tif 000002
【図２】
0005872542.tif 000003
【図３】
0005872542.tif 000004
【図４】
0005872542.tif 000005